(57)【要約】【課題】悪質な業者による廃棄物の不法投棄などを防止すること。【解決手段】剥離検知リーダライタ１００ｂは、廃棄物を最終処分（または中間処理）するとき以外は剥離検知タグ７０を剥離しないという運用のもとで、剥離検知処理部１３０が廃棄物６０に貼付された剥離検知タグ７０の剥離を検知した場合に、位置特定処理部１４０が該剥離検知タグの剥離を検知した位置を特定し、時刻特定処理部１５０が剥離検知タグ７０の剥離を検知した時刻を特定し、書込み・読込み処理部１６０が、剥離検知タグ７０に記憶された情報を読み取り、読み取った情報、剥離位置情報および剥離時刻情報を、最終処分端末装置８０ｅを介して情報センターサーバ２００に送信する。【選択図】        図２
2006127288.tif 000002
【特許請求の範囲】
【請求項１】
運送物に貼付された剥離検知タグに記憶された情報をリーダライタを利用して読み取り、該読み取った情報を運送物に係る情報を管理する管理サーバに通知するタグ情報通知プログラムであって、
前記運送物を処分するとき以外は前記剥離検知タグを剥離させないという運用のもとで、前記剥離検知タグの剥離を検知する剥離検知手順と、
前記剥離検知手順が前記剥離検知タグの剥離を検知した場合に、前記剥離検知タグが剥離された位置を特定する剥離位置特定手順と、
前記剥離位置特定手順によって特定された位置を剥離位置情報として前記管理サーバに通知する通知手順と、
をコンピュータに実行させることを特徴とするタグ情報通知プログラム。
【請求項２】
前記剥離検知手順が前記剥離検知タグの剥離を検知した場合に、該剥離検知タグの剥離を検知した時刻を特定する剥離時刻特定手順をさらにコンピュータに実行させ、前記通知手順は、前記剥離時刻特定手順によって特定された時刻を剥離時刻情報として前記管理サーバにさらに通知することを特徴とする請求項１に記載のタグ情報通知プログラム。
【請求項３】
前記剥離検知タグに書込む情報である書込み情報を取得した場合に、該書込み情報を暗号化する暗号化手順と、前記暗号化手順によって暗号化された書込み情報を前記剥離検知タグに書き込む書込手順とをさらにコンピュータに実行させることを特徴とする請求項１または２に記載のタグ情報通知プログラム。
【請求項４】
運送物に貼付された剥離検知タグに記憶された情報を読み取り、該読み取った情報を運送物に係る情報を管理する管理サーバに通知するリーダライタであって、
前記運送物を処分するとき以外は前記剥離検知タグを剥離させないという運用のもとで、前記剥離検知タグの剥離を検知する剥離検知手段と、
前記剥離検知手段が前記剥離検知タグの剥離を検知した場合に、前記剥離検知タグが剥離された位置を特定する剥離位置特定手段と、
前記剥離位置特定手段によって特定された位置を剥離位置情報として前記管理サーバに通知する通知手段と、
を備えたことを特徴とするリーダライタ。
【請求項５】
前記剥離検知手段が前記剥離検知タグの剥離を検知した場合に、該剥離検知タグの剥離を検知した時刻を特定する剥離時刻特定手段をさらに備え、前記通知手段は、前記剥離時刻特定手段によって特定された時刻を剥離時刻情報として前記管理サーバにさらに通知することを特徴とする請求項４に記載のリーダライタ。
【発明の詳細な説明】
【技術分野】
【０００１】
この発明は、運送物に貼付された剥離検知タグに記憶された情報をリーダライタを利用して読み取り、該読み取った情報を運送物に係る情報を管理する管理サーバに通知するタグ情報通知プログラムなどに関し、特に悪質な業者による廃棄物の不法投棄などを防止することができるタグ情報通知プログラムおよびリーダライタに関するものである。
【背景技術】
【０００２】
従来、有害な産業廃棄物や医療用廃棄物など（以下、単に廃棄物と表記する）を処分する場合には、廃棄物は、排出事業者、運搬業者、中間処理業者などを介して最終処分処理業者まで運搬され、最終処分業者によって適切な場所で焼却処理や埋め立て処理が行われている。
【０００３】
しかし、悪質な業者による廃棄物の不法投棄などが後をたたないため、マニフェスト（産業廃棄物管理票）が各業者間で利用されている。ここで、マニフェストは、廃棄物を処理した業者（以下、廃棄物処理業者）を特定する情報や、廃棄物処理業者が行った廃棄物の処理内容の情報などが、廃棄物処理業者自身によって記入された票である。
【０００４】
すなわち、廃棄物の処分か終了し、廃棄物処理業者によって必要事項が記入されたマニフェストを、廃棄物を委託した業者（以下、委託業者と表記する）が受け取ることによって、委託業者は、廃棄物が契約どおり処理されたかを把握することができるので、悪質な業者による不正を防止することができた。
【０００５】
なお、非特許文献１には、マニフェストを電子的に管理する情報管理サーバをネットワーク上に設置し、廃棄物処理業者は端末装置を利用して情報管理サーバにアクセスし、廃棄物処理業者を特定する情報や廃棄物の処理内容等の情報を送受信することによって、紙マニフェストの運用にかかる煩雑さを無くすことができる技術が公開されている。
【０００６】
【非特許文献１】財団法人日本産業廃棄物処理振興センター、“ＪＷＮＥＴの基本運用”、[online]、[平成１６年１０月１６日検索]、インターネット＜ＵＲＬ： HYPERLINK "http://www.jwnet.or.jp/jwnet/seido_gaiyou.html" http://www.jwnet.or.jp/jwnet/seido_gaiyou.html＞
【発明の開示】
【発明が解決しようとする課題】
【０００７】
しかしながら、かかる従来の技術では、委託業者は廃棄物に対する処理経過を正確に把握することができず、悪質な業者による廃棄物の不法投棄などを完全に防止することができないという問題があった。
【０００８】
なぜなら、マニフェストに廃棄物の処理内容を記入するのは、廃棄物処理業者自身であるため、廃棄物処理業者は、マニフェストの記入事項を改竄することが可能であり、廃棄物を不法投棄した場合であっても、契約どおりの処理を行ったと嘘の報告を委託業者に行えば、委託業者は不正を見破ることができないからである。
【０００９】
また、非特許文献１のように、情報管理サーバを利用して、マニフェストを電子的に管理する場合であっても、廃棄物処理業者自身が廃棄物の処理内容の情報を、情報管理サーバに送信するため、紙によるマニフェストの場合と同様、悪質な業者の不正を防止することができなかった。
【００１０】
この発明は、上述した従来技術による問題点を解消するためになされたものであり、悪質な業者による廃棄物の不法投棄などを防止することができるタグ情報通知プログラム、リーダライタを提供することを目的とする。
【課題を解決するための手段】
【００１１】
上述した課題を解決し、目的を達成するため、請求項１の発明に係るタグ情報通知プログラムは、運送物に貼付された剥離検知タグに記憶された情報をリーダライタを利用して読み取り、該読み取った情報を運送物に係る情報を管理する管理サーバに通知するタグ情報通知プログラムであって、前記運送物を処分するとき以外は前記剥離検知タグを剥離させないという運用のもとで、前記剥離検知タグの剥離を検知する剥離検知手順と、前記剥離検知手順が前記剥離検知タグの剥離を検知した場合に、前記剥離検知タグが剥離された位置を特定する剥離位置特定手順と、前記剥離位置特定手順によって特定された位置を剥離位置情報として前記管理サーバに通知する通知手順と、をコンピュータに実行させることを特徴とする。
【００１２】
この請求項１の発明によれば、タグ情報通知プログラムは、前記運送物を処分するとき以外は前記剥離検知タグを剥離させないという運用のもとで、運送物に貼付された剥離検知タグの剥離を検知した場合に、剥離検知タグが剥離された位置を特定し、特定した位置を剥離位置情報として、運送物に係る情報を管理する管理サーバに通知する。
【００１３】
また、請求項２の発明に係るタグ情報通知プログラムは、請求項１の発明において、前記剥離検知手順が前記剥離検知タグの剥離を検知した場合に、該剥離検知タグの剥離を検知した時刻を特定する剥離時刻特定手順をさらにコンピュータに実行させ、前記通知手順は、前記剥離時刻特定手順によって特定された時刻を剥離時刻情報として前記管理サーバにさらに通知することを特徴とする。
【００１４】
この請求項２の発明によれば、タグ情報通知プログラムは、運送物に貼付された剥離検知タグの剥離を検知した場合に、剥離検知タグが剥離された時刻を特定し、特定した時刻を剥離時刻情報として、運送物にかかる情報を管理する管理サーバにさらに通知する。
【００１５】
また、請求項３の発明に係るタグ情報通知プログラムは、請求項１または２の発明において、前記剥離検知タグに書込む情報である書込み情報を取得した場合に、該書込み情報を暗号化する暗号化手順と、前記暗号化手順によって暗号化された書込み情報を前記剥離検知タグに書き込む書込手順とをさらにコンピュータに実行させることを特徴とする。
【００１６】
この請求項３の発明によれば、タグ情報通知プログラムは、剥離検知タグに書込む情報である書込み情報を取得した場合に、取得した書込み情報を暗号化し、暗号化した書込み情報を剥離検知タグに書込む。
【００１７】
また、請求項４の発明に係るリーダライタは、運送物に貼付された剥離検知タグに記憶された情報を読み取り、該読み取った情報を運送物に係る情報を管理する管理サーバに通知するリーダライタであって、前記運送物を処分するとき以外は前記剥離検知タグを剥離させないという運用のもとで、前記剥離検知タグの剥離を検知する剥離検知手段と、前記剥離検知手段が前記剥離検知タグの剥離を検知した場合に、前記剥離検知タグが剥離された位置を特定する剥離位置特定手段と、前記剥離位置特定手段によって特定された位置を剥離位置情報として前記管理サーバに通知する通知手段と、を備えたことを特徴とする。
【００１８】
この請求項４の発明によれば、リーダライタは、前記運送物を処分するとき以外は前記剥離検知タグを剥離させないという運用のもとで、運送物に貼付された剥離検知タグの剥離を検知した場合に、剥離検知タグが剥離された位置を特定し、特定した位置を剥離位置情報として、運送物に係る情報を管理する管理サーバに通知する。
【００１９】
また、請求項５の発明に係るリーダライタは、請求項４の発明において、前記剥離検知手段が前記剥離検知タグの剥離を検知した場合に、該剥離検知タグの剥離を検知した時刻を特定する剥離時刻特定手段をさらに備え、前記通知手段は、前記剥離時刻特定手段によって特定された時刻を剥離時刻情報として前記管理サーバにさらに通知することを特徴とする。
【００２０】
この請求項５の発明によれば、リーダライタは、運送物に貼付された剥離検知タグの剥離を検知した場合に、剥離検知タグが剥離された時刻を特定し、特定した時刻を剥離時刻情報として、運送物にかかる情報を管理する管理サーバにさらに通知する。
【発明の効果】
【００２１】
請求項１の発明によれば、タグ情報通知プログラムは、前記運送物を処分するとき以外は前記剥離検知タグを剥離させないという運用のもとで、運送物に貼付された剥離検知タグの剥離を検知した場合に、剥離検知タグが剥離された位置を特定し、特定した位置を剥離位置情報として、運送物に係る情報を管理する管理サーバに通知するので、業者が廃棄物を処分した位置を正確に特定することができ、廃棄物の不法投棄などを防止することができる（処分前に剥離検知タグが剥離していれば不正を検出することができる）。
【００２２】
また、請求項２の発明によれば、タグ情報通知プログラムは、運送物を処分するとき以外は剥離検知タグを剥離させないという運用のもとで、運送物に貼付された剥離検知タグの剥離を検知した場合に、剥離検知タグが剥離された時刻を特定し、特定した時刻を剥離時刻情報として、運送物にかかる情報を管理する管理サーバにさらに通知するので、業者が廃棄物を処分した位置や時刻を正確に特定することができ、廃棄物の不法投棄などを防止することができる。
【００２３】
また、請求項３の発明によれば、タグ情報通知プログラムは、剥離検知タグに書込む情報である書込み情報を取得した場合に、取得した書込み情報を暗号化し、暗号化した書込み情報を剥離検知タグに書込むので、剥離検知タグに記憶された情報の改竄を防ぐことができる。
【００２４】
また、請求項４の発明によれば、リーダライタは、運送物を処分するとき以外は剥離検知タグを剥離させないという運用のもとで、運送物に貼付された剥離検知タグの剥離を検知した場合に、剥離検知タグが剥離された位置を特定し、特定した位置を剥離位置情報として、運送物に係る情報を管理する管理サーバに通知するので、業者が廃棄物を処分した位置を正確に特定することができ、廃棄物の不法投棄などを防止することができる（処分前に剥離検知タグが剥離していれば不正を検出することができる）。
【００２５】
また、請求項５の発明によれば、リーダライタは、運送物を処分するとき以外は剥離検知タグを剥離させないという運用のもとで、運送物に貼付された剥離検知タグの剥離を検知した場合に、剥離検知タグが剥離された時刻を特定し、特定した時刻を剥離時刻情報として、運送物にかかる情報を管理する管理サーバにさらに通知するので、業者が廃棄物を処分した位置や時刻を正確に特定することができ、廃棄物の不法投棄などを防止することができる。
【発明を実施するための最良の形態】
【００２６】
以下に添付図面を参照して、この発明に係るタグ情報通知プログラムおよびリーダライタの好適な実施の形態を詳細に説明する。
【実施例】
【００２７】
本実施例に示す剥離検知リーダライタは、産業廃棄物や医療用廃棄物等（以下、単に廃棄物と表記する）を最終処分（または中間処理）するとき以外は剥離検知タグを剥離しないという運用のもとで、廃棄物に貼付された剥離検知タグの剥離を検知した場合に、剥離を検知した位置や時刻などを特定し、特定した情報および剥離検知タグに記憶された情報を情報管理センターに通知することで、悪質な業者による廃棄物の不法投棄などを防ぐ。
【００２８】
次に、本実施例に係るタグ情報管理システムのシステム構成について説明する。図１は、本実施例に係るタグ情報管理システムのシステム構成を示すブロック図である。同図に示すように、このタグ情報管理システムは、排出事業者端末装置８０ａ、運搬業者端末装置８０ｂ，８０ｄ、中間処理業者端末装置８０ｃ、最終処分業者端末装置８０ｅおよび情報処理センターサーバ２００が、ネットワーク５０に接続されている。
【００２９】
また、リーダライタ９０ａが排出事業者端末装置８０ａに接続され、リーダライタ９０ｂが運搬業者端末装置８０ｂに接続され、剥離検知リーダライタ１００ａが中間処理業者端末装置８０ｃに接続され、リーダライタ９０ｃが運搬業者端末装置８０ｄに接続され、剥離検知リーダライタ１００ｂが最終処分業者端末装置８０ｅに接続されている。
【００３０】
また、廃棄物６０は、剥離検知タグ７０が貼付されており、排出事業者、運搬業者、中間処理業者、運搬業者、最終処分業者の順に運搬され、廃棄物６０は、最終処分業者によって最終処分されることになる。ここで、剥離検知タグ７０は、貼付された位置から剥離した場合に、剥離したことを検知可能とするＩＣ（Integrated Circuit）タグである。
【００３１】
なお、廃棄物６０に貼付された剥離検知タグ７０は、廃棄物６０が中間処理業者まで運搬された時点で一旦剥離される。そして、剥離検知タグ７０が剥離された廃棄物６０は、中間処理業者によって詰め替え処理が行われる。そして、詰め替え処理が行われた廃棄物６０には新たな剥離検知タグ７０が貼付されることになる。
【００３２】
なお、排出事業者端末装置８０ａは排出事業者に管理され、運搬業者端末装置８０ｂ，８０ｄは運搬業者に管理され、中間処理業者端末装置８０ｃは中間処理業者に管理され、最終処分業者端末装置８０ｅは最終処分業者に管理される。
【００３３】
排出事業者端末装置８０ａは、リーダライタ９０ａを利用して、業者識別情報、装置識別情報、場所情報および時刻情報を廃棄物６０に貼付された剥離検知タグ７０に書き込む装置である。ここで、リーダライタ９０ａは、剥離検知タグ７０に対する情報の書き込みまたは剥離検知タグ７０に記憶された情報の読み取りを行う装置である。なお、リーダライタ９０ｂおよび９０ｃは、リーダライタ９０ａと同様であるため説明を省略する。
【００３４】
また、業者識別情報は、剥離検知タグ７０に情報を書き込んだ業者を識別するための情報であり、装置識別情報は、剥離検知タグ７０に情報を書き込んだリーダライタを識別するための情報であり、場所情報は、剥離検知タグ７０に情報を書き込んだ場所の情報であり、時刻情報は、剥離検知タグ７０に情報を書き込んだ時刻の情報である。
【００３５】
また、排出事業者端末装置８０ａは、情報処理センターサーバ２００から廃棄物６０に係る情報を取得した場合に、図示しないディスプレイを利用して、排出事業者端末装置８０ａを管理する排出事業者等に取得した情報を通知する。
【００３６】
運搬業者端末装置８０ｂは、リーダライタ９０ｂを利用して、業者識別情報、装置識別情報、場所情報および時刻情報を廃棄物６０に貼付された剥離検知タグ７０に書き込む装置である。また、運搬業者端末装置９０ｂは、運搬業者が廃棄物６０を中間処理業者に渡した旨の情報を、入力装置（図示しない）を介して入力された場合に、入力された情報を情報処理センターサーバ２００に通知する。なお、運搬業者端末装置８０ｄは、運搬業者端末装置８０ｂと同様であるため説明を省略する。
【００３７】
中間処理業者端末装置８０ｃは、剥離検知タグ７０が剥離した場合に、剥離検知タグ７０に記憶された情報、剥離位置情報および剥離時刻情報を、剥離検知リーダライタ１００ａから取得し、剥離検知タグ７０に記憶された情報、剥離位置情報および剥離時刻情報を情報処理センターサーバ２００に送信する装置である。ここで、剥離位置情報は、剥離検知タグ７０の剥離した位置を特定する情報であり、剥離時刻情報は、剥離検知タグ７０が剥離した時刻を特定する情報である。
【００３８】
また、中間処理業者端末装置８０ｃは、詰め替え処理が行われた廃棄物６０に新たな剥離検知タグ７０が貼付された場合に、剥離検知リーダライタ１００ａを利用して、剥離される前の剥離検知タグ７０に記録された情報、業者識別情報、装置識別情報、場所情報および時刻情報を、新たに貼付された剥離検知タグ７０に書き込む。
【００３９】
剥離検知リーダライタ１００ａは、剥離検知タグ７０の剥離を検知した場合に、剥離位置情報および剥離時刻情報を特定し、特定した剥離位置情報、剥離時刻情報および剥離検知タグ７０に記憶された情報を中間処理業者端末装置８０ｃに渡す装置である。
【００４０】
このように、剥離検知リーダライタ１００ａは、剥離検知タグ７０が剥離された時点での剥離位置情報および剥離時刻情報を特定するので、中間処理業者が廃棄物６０の詰め替え処理を行った位置・時刻や、最終処分業者が廃棄物６０を処分した位置・時刻を正確に特定することができ、中間処理業者や最終処分業者等の不正行為を防ぐことができる。なお、剥離検知リーダライタ１００ｂは、剥離検知リーダライタ１００ａとほぼ同様であるため説明を省略する。
【００４１】
最終処分業者端末装置８０ｅは、廃棄物６０に貼付された剥離検知タグ７０が剥離した場合に、剥離検知タグ７０に記憶された情報、剥離位置情報および剥離時刻情報を、剥離検知リーダライタ１００ｂから取得し、取得した剥離検知タグ７０に記憶された情報、剥離位置情報および剥離時刻情報を情報処理センターサーバ２００に通知する装置である。
【００４２】
情報処理センターサーバ２００は、排出事業者端末装置８０ａ、運搬業者端末装置８０ｂ，８０ｄ、中間処理業者端末装置８０ｃおよび最終処分業者端末装置８０ｅから送信される情報を管理する装置である。
【００４３】
また、情報処理センターサーバ２００は、中間処理業者端末装置８０ｃから剥離検知タグ７０に記憶された情報、剥離位置情報および剥離時刻情報を受信した場合には、中間処理（廃棄物の詰め替え処理など）が行われたものと判定し、中間処理が行われた旨の情報、中間処理業者の業者識別情報、剥離位置情報および剥離時刻情報を排出事業者端末装置８０ａに通知する。
【００４４】
また、情報管理センターサーバ２００は、最終処分業者端末装置８０ｅから剥離検知タグ７０に記憶された情報、剥離位置情報および剥離時刻情報を受信した場合には、最終処理（廃棄物の焼却処理など）が行われたものと判定し、最終処理が行われた旨の情報、最終処理業者の業者識別情報、剥離位置情報および剥離時刻情報などを排出事業者端末装置８０ａおよび中間処理業者端末装置８０ｃに通知する。
【００４５】
次に、図１に示した剥離検知リーダライタ１００ａの構成について説明する（剥離検知リーダライタ１００ｂは剥離検知リーダライタ１００ａと同様であるため説明を省略する）。図２は、図１に示した剥離検知リーダライタ１００ａの構成を示す機能ブロック図である。同図に示すように、この剥離検知リーダライタ１００ａは、アンテナ１１０および中間処理業者端末装置８０ｃ（図示しない）に接続されている（剥離検知リーダライタ１００ｂは最終処分端末装置８０ｅに接続されている）。
【００４６】
また、剥離検知リーダライタ１００ａは、電波インターフェース部１２０と、剥離検知処理部１３０と、位置特定処理部１４０と、時刻特定処理部１５０と、書込み・読込み処理部１６０と、インターフェース部１７０と、暗号化処理部１８０と、記憶部１９０とを有する。
【００４７】
電波インターフェース部１２０は、アンテナ１１０を利用して、剥離検知タグ７０に対するデータ送信と、剥離検知タグ７０に記憶されたデータの受信とを行う処理部である。なお、電波インターフェース部１２０は、搬送波として高周波を発生し、アンテナ１１０に供給する。そして、アンテナ１１０から放射される電界によって剥離検知タグ７０はデータの送受信などに必要な電力を得ることができる。
【００４８】
剥離検知処理部１３０は、廃棄物６０に貼付された剥離検知タグ７０の剥離を検知する処理部である。また、剥離検知処理部１３０は、廃棄物６０に貼付された剥離検知タグ７０の剥離を検知した場合に、剥離検知タグ７０が剥離した旨の情報を位置特定処理部１４０および時刻特定処理部１５０に通知する。
【００４９】
なお、剥離検知処理部１３０は、廃棄物６０に対する最終処分（または中間処理）をおこなうとき以外に剥離検知タグ７０の剥離を検知した場合には、不正が行われたと判定し、不正が行われた旨を情報処理センターサーバ２００に通知することになる。
【００５０】
位置特定処理部１４０は、剥離検知処理部１３０から剥離検知タグ７０の剥離を検知した旨の情報を受付けた場合に、アンテナ１１０を利用して人工衛星と通信を行い、剥離検知リーダライタ１００ａの位置を特定する処理部である。また、位置特定情報１４０は、特定した位置の情報である剥離位置情報を書き込み・読込み処理部１６０に渡す。
【００５１】
時刻特定処理部１５０は、剥離検知処理部１３０から剥離検知タグ７０の剥離を検知した旨の情報を受付けた場合に、該情報を受付けた時刻を特定する処理部である。また、時刻特定処理部１５０は、特定した時刻の情報である剥離時刻情報を書込み・読込み処理部１６０に渡す。
【００５２】
書込み・読込み処理部１６０は、位置特定処理部１４０から剥離位置情報を取得し、時刻特定処理部１５０から剥離時刻情報を取得した場合に、電波インターフェース１２０およびアンテナ１１０を利用して、剥離検知タグ７０に記憶された情報を読み取り、剥離検知タグ７０に記憶された情報、剥離位置情報、剥離時刻情報および装置識別情報を、インターフェース部１７０を介して中間処理業者端末装置８０ｃに通知する処理部である。ここで、インターフェース部１７０は、所定の通信プロトコルを用いて中間処理業者端末装置８０ｃと通信を行う処理部である。
【００５３】
なお、書込み・読込み処理部１６０は、剥離検知リーダライタ１００ａの装置識別情報を記憶部１９０から取得する。記憶部１９０は、剥離検知リーダライタ１００ａの装置識別情報１９０ａを記憶する記憶部である。
【００５４】
また、書込み・読込み処理部１６０は、中間処理業者端末装置８０ｃから剥離検知タグ７０に書き込む情報（以下、書込み情報と表記する）を受信した場合には、書込みデータを暗号化処理部１８０に渡す。なお、この書込みデータは、中間処理業者の業者識別情報、装置識別情報、場所情報、時刻情報、剥離位置情報、剥離時刻情報および剥離される前の剥離検知タグ７０に記憶されていた情報を有する。
【００５５】
ここで、剥離される前の剥離検知タグ７０に記憶された情報は、排出事業者および運搬業者の業者識別情報と、リーダライタ９０ａ，９０ｂの装置識別情報と、リーダライタ９０ａを用いて剥離検知タグ７０に情報を書き込んだ場所情報と、リーダライタ９０ｂを用いて剥離検知タグ７０に情報を書き込んだ場所情報と、リーダライタ９０ａを用いて剥離検知タグ７０に情報を書き込んだ時刻情報と、リーダライタ９０ｂを用いて剥離検知タグ７０に情報を書き込んだ時刻情報とを有する。
【００５６】
暗号化処理部１８０は、書込み・読込み処理部１６０から渡される書込みデータを暗号化する処理部である。そして、暗号化処理部１８０は、暗号化した書込みデータを書込み・読込み処理部１６０に渡し、書込み・読込み処理部１６０は、暗号化された書込みデータを電波インターフェース１２０およびアンテナ１１０を利用して、剥離検知タグ７０に書き込む。
【００５７】
次に、剥離検知タグ７０についての説明を行う。図３は、剥離検知タグ７０の平面図であり、図４は、剥離検知タグ７０の断面図である。図３および図４では、主に１５０ｋＨｚ以下、あるいは１３．５６ＭＨｚの周波数を使用する電磁誘導方式の剥離検知タグの例を示している。
【００５８】
剥離検知タグ７０は、ＩＣチップ１にアンテナコイル２と破断スイッチ３をＰＥＴフィルムなどの基板４上で接合してインレット５を形成する。破断スイッチ３は、所定以上の張力が加わると破断して回路を遮断する構造になっている。
【００５９】
インレット５は、基板４上面の外周と破断スイッチ３の頂面に粘着材ａを塗布して上面を表面シール６で被覆し、下面全体に粘着材ａを塗布して下面をシリコンの剥離処理を施した剥離紙７に支持する。このインレット５を剥離紙７から引き剥がして廃棄物６０に貼付する。
【００６０】
ここで、破断スイッチ３に関する説明を行う。図５は、破断スイッチの平面図であり、図６は、破断スイッチの断面図である。図５および図６に示すように、破断スイッチ３は、厚膜印刷技術を用いて基板４上にメンブレン３１を成膜し、その上を脆弱な材料のパッキング３２で被膜して袋状の液貯蔵庫３３を形成し、その中に導電性のインク液ｂを入れる。
【００６１】
液貯蔵庫３３の両端には電極３４を配置し、リード線３５を介してＩＣチップ１に接続する。なお、破断スイッチ３の底面が接する基板４には予め×印などの形の切り込みｃを入れておく。これにより、インレット５を引き剥がそうとすると、基板４が引っ張られて切り込みｃの切れ幅が拡大し、基板４と一体の破断スイッチ３の破断を確実にする。この切り込みｃは、３６０°いかなる方向から引っ張られても切れ幅が拡大するようになっている。
【００６２】
また、基板４表面の破断スイッチ３周辺あるいは基板４表面全体に網点形状などの表面加工を施してインク液ｂの吸収を容易にする。なお、表面加工の他に、基板４平面にインク液ｂを吸収する塗料を塗布したり、インク液ｂを吸着する紙や布などのテープを貼っても良い。これにより、破断の際に漏出したインク液ｂが周辺の基板４表面に付着するので、破断スイッチ３が破断したことを容易に目視確認できるようになる。
【００６３】
ところで、破断スイッチ３は、図７に示すように、液貯蔵庫３３の両端を導電性の細線ｄで結んで通電させても良い。あるいは、メンブレン３１やパッキング３２をアルミなどの金属箔で形成して通電させても良い。この場合、液貯蔵庫３３の中には目視可能な塗料の入った通常のインクを入れる。
【００６４】
次に、剥離検知タグ７０の構成について説明する。図８は、剥離検知タグ７０の構成を示す機能ブロック図である。剥離検知タグ７０は、ＩＣチップ１のアンテナ接続部にアンテナコイル２を接続し、ＩＣチップ１のデータ入力部に破断スイッチ３を接続する構成である。
【００６５】
ＩＣチップ１は、アンテナコイル２に接続する整流回路１１、復調回路１２、変調回路１３およびクロック回路１４からなるアナログ回路部と、ＣＰＵ（Central Processing Unit）１５とメモリ１６からなるデジタル回路部で構成される。
【００６６】
剥離検知タグ７０は、以上のような構成であり、剥離検知リーダライタ１００ａがＩＤの読み取り信号変調してアンテナ１１０に印加すると、誘導電磁界が発生してタグ側のアンテナ１１０に誘起電圧が発生する。この誘起電圧を整流回路１１が整流して動作電源とし、クロック回路１４がその周波数を用いてＩＣ同期用のクロックを生成する。
【００６７】
これにより、ＩＣ回路に電力とクロックが供給されると、復調回路１２がクロックに同期させながら剥離検知リーダライタ１００ａから受信した読み取り信号を復調し、ＣＰＵ１５が読み取り信号を解析してメモリ１６からＩＤを読み出し、読み出したＩＤを変調回路１３が変調してアンテナ１１０から送信する。このとき、ＣＰＵ１５は、破断スイッチ３の入力処理を行い、入力したスイッチの状態をＩＤに付加して剥離検知リーダライタ１１０に送信する。
【００６８】
インレット５を他の物品などに付け替える場合、インレット５を引き剥がそうとすると、フィルム状の基板４が引っ張られて基板４に入れた切り込みｃが拡大する。図９は、破断スイッチの破断状態を示す図である。
【００６９】
図９に示すように、いずれかの切り込みｃに沿って、引き裂き力が作用し、破断スイッチ３が破断する。このとき、中に入れた導電性のインク液ｂが漏出して破断スイッチ３周辺の基板４表面にインク液ｂが付着する。そのため、剥離検知リーダライタ１００ａがＩＤを読み取る前にインレット５が引き剥がされたことを目視で確認することが出来る。
【００７０】
また、中に入れた導電性のインク液ｂが漏出すると破断スイッチ３がオフとなる。したがって、ＩＤの読み取り時に付加されるスイッチの状態を識別して剥離検知リーダライタ１００ａ側でもインレット５が引き剥がされたことを検知できるようになる。すなわち、剥離検知タグ７０が廃棄物６０から剥離したことを剥離検知リーダライタ１００ａは検知することが可能となる。
【００７１】
図１０は、破断スイッチの変形例に係る破断状態を示す図である。図１０に示すように、液貯蔵層３３の両端を細線ｄで結ぶ破断スイッチ３が破断した場合には、中に入れた通常のインク液ｂが漏出して、破断スイッチ３周辺の基板４表面にインク液ｂが付着する。また、破断スイッチ３の破断と共に中の細線ｄが断線し、同様に破断スイッチ３がオフになる。
【００７２】
また、インレット５の表面シール６を他の表面シール６に張り替える場合、表面シール６を引き剥がそうとすると、底面を基板４に固着し、頂面を表面シール６に粘着する破断スイッチ３が上方に引っ張られて破断する。そのため、インレット５を引き剥がそうとする場合と同様に、破断スイッチ３周辺の基板４表面にインク液ｂが付着し、破断スイッチ３がオフとなり、剥離検知タグ７０が剥離したことを検知することができる。
【００７３】
次に、本実施例に係るタグ情報管理システムの処理について説明する。図１１は、本実施例に係るタグ情報管理システムの処理手順を示すフローチャートである。図１１に示すように、まず、排出事業者端末装置８０ａがリーダライタ９０ａを利用して、排出事業者の業者識別情報、リーダライタ９０ａの装置識別情報、排出事業者の場所情報および時刻情報（以下、排出事業者情報と表記する）を剥離検知タグ７０に書き込むと共に、排出事業者情報を情報処理センターサーバ２００に送信し、情報処理センターサーバ２００は、受信した排出事業者情報を登録する（ステップＳ１０１）。
【００７４】
続いて、廃棄物６０が運搬業者に運搬された場合に、運搬業者端末装置８０ｂが、リーダライタ９０ｂを利用して、運搬業者の業者識別情報、リーダライタ９０ｂの装置識別情報、運搬業者の場所情報および時刻情報（以下、第一運搬業者情報）を剥離検知タグ７０に追加書き込みし、廃棄物６０を中間処理業者に渡した旨の情報を受け取った場合には、運搬業者が中間処理業者に廃棄物６０を渡した旨の情報を情報処理センターサーバ２００に送信する（ステップＳ１０２）。
【００７５】
そして、中間処理業者によって廃棄物６０の詰め替えが行われ、廃棄物６０に貼付された剥離検知タグ７０が剥離した場合に、剥離検知リーダライタ１００ａが、剥離位置情報および剥離時刻情報を特定すると共に、剥離検知タグ７０に記憶された排出事業者情報と第一運搬業者情報とを読み取り、剥離位置情報、剥離時刻情報、排出事業者情報、第一運搬業者情報および剥離検知リーダライタ１００ａの装置識別情報を中間処理業者端末装置８０ｃに渡す。
【００７６】
そして、中間処理業者端末装置８０ｃは、剥離位置情報、剥離時刻情報、排出事業者情報、第一運搬業者情報および中間処理業者情報を情報処理センターサーバ２００に送信する（ステップＳ１０３）。ここで、中間処理業者情報は、中間処理業者の業者識別情報、剥離検知リーダライタ１００ａの装置識別情報、中間処理業者の場所情報および時刻情報を示す。
【００７７】
情報処理センターサーバ２００は、中間処理業者端末装置８０ｃから剥離位置情報、剥離時刻情報、排出事業者情報、第一運搬業者情報および中間処理業者情報を受信した場合に、受信した各情報を登録すると共に、中間処理が終了した旨の情報を排出事業者端末装置８０ａに送信する（ステップＳ１０４）。
【００７８】
そして、詰め替えが完了した廃棄物６０に、新たな剥離検知タグ７０が貼付された場合に、中間処理業者端末装置８０ｃは、剥離検知リーダライタ１００ａを利用して、排出事業者情報、第一運搬業者情報および中間処理業者情報を剥離検知タグ７０に書き込む（ステップＳ１０５）。
【００７９】
続いて、廃棄物６０が運搬業者に運搬された場合に、運搬業者端末装置８０ｄが、リーダライタ９０ｃを利用して、運搬業者の業者識別情報、リーダライタ９０ｃの装置識別情報、運搬業者の場所情報および時刻情報（以下、第二運搬業者情報）を剥離検知タグ７０に追加書き込みし、廃棄物６０を最終処分業者に渡した旨の情報を受け取った場合には、運搬業者が最終処分業者に廃棄物６０を渡した旨の情報を情報処理センターサーバ２００に送信する（ステップＳ１０６）。
【００８０】
そして、最終処分業者が廃棄物６０に貼付された剥離検知タグ７０を剥離した場合に、剥離検知リーダライタ１００ｂが、剥離位置情報および剥離時刻情報を特定すると共に、剥離検知タグ７０に記憶された排出事業者情報、第一運搬業者情報、中間処理業者情報および第二運搬業者情報を読み取り、剥離位置情報、剥離時刻情報、排出事業者情報、第一運搬業者情報、中間処理業者情報、第二運搬業者情報および剥離検知リーダライタ１００ｂの装置識別情報を最終処分業者端末装置８０ｅに渡す。
【００８１】
そして、最終処分端末装置８０ｅは、剥離位置情報、剥離時刻情報、排出事業者情報、第一運搬業者情報、中間処理業者情報、第二運搬業者情報および最終処分業者情報を情報処理センターサーバ２００に送信する（ステップＳ１０７）。ここで、最終処分業者情報は、最終処分業者の業者識別情報、剥離検知リーダライタ１００ｂの装置識別情報、最終処分業者の場所情報および時刻情報を示す。
【００８２】
情報処理センターサーバ２００は、最終処分業者端末装置８０ｅから剥離位置情報、剥離時刻情報、排出事業者情報、第一運搬業者情報、中間処理業者情報、第二運搬業者情報および最終処分業者情報を受信した場合に、受信した各情報を登録すると共に、最終処理が終了した旨の情報を排出事業者端末装置８０ａおよび中間処理業者端末装置８０ｃに送信する（ステップＳ１０８）。
【００８３】
なお、情報処理センターサーバ２００は、中間処理業者端末装置８０ｃから剥離時刻情報を受け取った後、この剥離時刻情報によって特定される時刻から所定時間以上経過したにもかかわらず、運搬業者端末装置８０ｄから最終処分業者に廃棄物６０を渡した旨の情報を受信しない場合には、警告を運搬業者端末装置８０ｄに送信する。
【００８４】
このように、タグ情報管理システムは、廃棄物６０を取り扱った業者や、廃棄物を処分した場所や時刻を特定することができるので、業者の廃棄物に対する不法投棄などを防止することができる。
【００８５】
次に、剥離検知リーダライタ１００ｂが剥離検知タグ７０の剥離を検知した場合の処理について説明する。図１２は、剥離検知リーダライタ１００ｂが剥離検知タグ７０の剥離を検知した場合の処理手順を示すフローチャートである。
【００８６】
図１２に示すように、剥離検知リーダライタ１００ｂは、剥離検知処理部１３０が剥離検知タグ７０の剥離を検知し（ステップＳ２０１）、位置特定処理部１４０が剥離検知リーダライタ１００ｂの位置を特定する（ステップＳ２０２）。
【００８７】
そして、時刻特定処理部１５０が剥離を検知した時刻を特定し（ステップＳ２０３）、書込み・読込み処理部１６０が剥離検知タグ７０に記憶された情報（排出事業者情報、第一運搬業者情報、中間処理業者情報、第二運搬業者情報）を読み取り（ステップＳ２０４）、該読み取った情報、剥離位置情報、剥離時刻情報および剥離検知リーダライタ１００ｂの装置識別情報を最終処分業者端末装置８０ｅに渡す（ステップＳ２０５）。
【００８８】
なお、剥離の検知については、以下のようにすることも可能である。即ち、剥離検知リーダライタを利用者が操作することによって、剥離検知タグに対するポーリングを開始する。このポーリングとは一定間隔を空けて数回繰り返され、剥離検知タグの剥離が検知されたことをもってステップＳ２０２の処理に移る。このようにすることで、剥離検知の時間をより確実に把握することが可能となる。
【００８９】
このように、剥離検知リーダライタ１００ｂは、廃棄物６０に貼付された剥離検知タグ７０が剥離した場合に、剥離検知リーダライタ１００ｂの位置および剥離を検知した時刻を特定することができるので、最終処分業者などが廃棄物を処分した位置および時刻を正確に把握でき、最終処分業者などの不正行為を防ぐことができる。
【００９０】
次に、剥離検知リーダライタ１００ａが、書込みデータを剥離検知タグ７０に書き込む処理について説明する。図１３は、剥離検知リーダライタ１００ａが、書き込みデータを剥離検知タグ７０に書き込む処理手順を示すフローチャートである。
【００９１】
図１３に示すように、剥離検知リーダライタ１００ａは、書込み・読込み処理部１６０が書込みデータを取得し（ステップＳ３０１）、暗号化処理部１８０が書込みデータを暗号化し（ステップＳ３０２）、書込み・読込み処理部１６０が暗号化した書込みデータを剥離検知タグ７０に書込む（ステップＳ３０３）。
【００９２】
このように、剥離検知リーダライタ１００ａは、剥離検知タグ７０にデータを書き込む場合に、書き込むデータを暗号化するので、剥離検知タグ７０に書き込まれたデータの改竄を防止することができる。
【００９３】
上述してきたように、本実施例に係る剥離検知リーダライタ１００ｂは、廃棄物を最終処分（または中間処理）するとき以外は剥離検知タグ７０を剥離しないという運用のもとで、剥離検知処理部１３０が廃棄物６０に貼付された剥離検知タグ７０の剥離を検知した場合に、位置特定処理部１４０が該剥離検知タグの剥離を検知した位置を特定し、時刻特定処理部１５０が剥離検知タグ７０の剥離を検知した時刻を特定し、書込み・読込み処理部１６０が、剥離検知タグ７０に記憶された情報を読み取り、読み取った情報、剥離位置情報および剥離時刻情報を、最終処分端末装置８０ｅを介して情報センターサーバ２００に送信するので、委託業者は最終処分業者が廃棄物を処分した位置や時刻を正確に特定することができ、最終処分業者などによる廃棄物の不法投棄を防止することができる。逆に、最終処分または中間処理前に剥離検知タグ７０が剥離していれば不正を検知することができる。
【００９４】
なお、本実施例では、中間処理業者が廃棄物６０の詰め替えを行う場合に、廃棄物６０に貼付された剥離検知タグ７０を剥離していたが、たとえば、剥離検知リーダライタ１００ａが、剥離検知タグ７０を電子的に無効にするための電波を送信し、廃棄物６０に貼付された剥離検知タグ７０を無効にしてもよい。
【００９５】
また、本実施例では、剥離検知タグ７０を廃棄物６０に貼付する場合を示したがこれに限定されるものではなく、紙のマニフェストなどに剥離検知タグ７０を貼付して、マニフェストを廃棄物６０と共に移動させることで、上述した実施例と同じ効果を得ることができる。
【００９６】
また、本実施例に示したリーダライタ９０ａ，９０ｂ，９０ｃ、剥離検知リーダライタ１００ａ，１００ｂは、剥離検知タグ７０に書き込む情報として、廃棄物の処理内容や、廃棄物の処理方法などをさらに書き込んでもよい。
【００９７】
ところで、上記の実施例で説明した各種の処理は、あらかじめ用意されたプログラムをコンピュータで実行することによって実現することができる。そこで、以下では、図１４を用いて、上記の実施例と同様の機能を有するタグ情報通知プログラムを実行するコンピュータの一例を説明する。図１４は、タグ情報通知プログラムを実行するコンピュータを示す図である。
【００９８】
同図に示すように、タグ情報通知プログラムを実行するコンピュータ３００は、電波インターフェース装置３２０、インターフェース装置３３０、ＲＯＭ３４０、ＨＤＤ３５０およびＣＰＵ３６０をバス３７０で接続して構成される。ここで、電波インターフェース装置３２０は、図２に示した電波インターフェース部１２０に対応し、インターフェース装置３３０は、同じくインターフェース部１７０に対応する。なお、電波インターフェース装置３２０は、アンテナ３１０に接続される。このアンテナ３１０は、図２に示したアンテナ１１０に対応する。
【００９９】
そして、ＨＤＤ３５０には、上記の実施例と同様の機能を発揮するタグ情報通知プログラム、つまり、図１４に示すように、剥離検知プログラム３５０ａ、位置特定プログラム３５０ｂ、時刻特定プログラム３５０ｃ、書込み・読込みプログラム３５０ｄ、暗号化プログラム３５０ｅが予め記憶されている。なお、プログラム３５０ａ〜３５０ｅについては、図２に示した剥離検知リーダライタ１００ａと同様、適宜統合または分散してもよい。
【０１００】
そして、ＣＰＵ３６０が、これらのプログラム３５０ａ〜３５０ｅをＨＤＤ３５０から読み出して実行することで、図１４に示すように、各プログラム３５０ａ〜３５０ｅは、剥離検知プロセス３６０ａ、位置特定プロセス３６０ｂ、時刻特定プロセス３６０ｃ、書込み・読込みプロセス３６０ｄ、暗号化プロセス３６０ｅとして機能するようになる。各プロセス３６０ａ〜３６０ｅは、図２に示した剥離検知処理部１３０、位置特定処理部１４０、時刻特定処理部１５０、書込み・読込み処理部１６０、暗号化処理部１８０にそれぞれ対応する。
【０１０１】
また、ＲＯＭ３４０には装置識別情報３４０ａが記憶される。この装置識別情報３４０ａは、図２に示した装置識別情報１９０に対応する。そして、ＣＰＵ３６０は装置識別情報３４０ａを読み出して、読み出した装置識別情報を外部装置に通知する。
【０１０２】
ところで、上記した各プログラム３５０ａ〜３５０ｅについては、必ずしも最初からＨＤＤ３５０に記憶させておく必要はなく、例えば、コンピュータ３００に挿入されるフレキシブルディスク（ＦＤ）、ＣＤ−ＲＯＭ、ＭＯディスク、光磁気ディスク、ＩＣカードなどの「可搬用の物理媒体」、または、公衆回線、インターネット、ＬＡＮ、ＷＡＮなどを介してコンピュータ３００に接続される「他のコンピュータ（またはサーバ）」などに各プログラムを記憶させておき、コンピュータ３００がこれらから各プログラムを読み出して実行するようにしてもよい。
【０１０３】
（付記１）運送物に貼付された剥離検知タグに記憶された情報をリーダライタを利用して読み取り、該読み取った情報を運送物に係る情報を管理する管理サーバに通知するタグ情報通知プログラムであって、
前記運送物を処分するとき以外は前記剥離検知タグを剥離させないという運用のもとで、前記剥離検知タグの剥離を検知する剥離検知手順と、
前記剥離検知手順が前記剥離検知タグの剥離を検知した場合に、前記剥離検知タグが剥離された位置を特定する剥離位置特定手順と、
前記剥離位置特定手順によって特定された位置を剥離位置情報として前記管理サーバに通知する通知手順と、
をコンピュータに実行させることを特徴とするタグ情報通知プログラム。
【０１０４】
（付記２）前記剥離検知手順が前記剥離検知タグの剥離を検知した場合に、該剥離検知タグの剥離を検知した時刻を特定する剥離時刻特定手順をさらにコンピュータに実行させ、前記通知手順は、前記剥離時刻特定手順によって特定された時刻を剥離時刻情報として前記管理サーバにさらに通知することを特徴とする付記１に記載のタグ情報通知プログラム。
【０１０５】
（付記３）前記剥離検知タグは、前記運送物に関わった業者を識別する業者識別情報および前記剥離検知タグに情報の書込みを行ったリーダライタを識別する装置識別情報を少なくとも記憶し、前記通知手順は前記剥離検知手順が前記剥離検知タグの剥離を検知した場合に、前記業者識別情報、前記装置識別情報、前記剥離位置情報および前記剥離時刻情報を前記管理サーバに通知することを特徴とする付記２に記載のタグ情報通知プログラム。
【０１０６】
（付記４）前記剥離検知タグに書込む情報である書込み情報を取得した場合に、該書込み情報を暗号化する暗号化手順と、前記暗号化手順によって暗号化された書込み情報を前記剥離検知タグに書き込む書込手順とをさらにコンピュータに実行させることを特徴とする付記１、２または３に記載のタグ情報通知プログラム。
【０１０７】
（付記５）前記書込み情報は、前記業者識別情報と、前記装置識別情報と、前記剥離位置情報と、前記剥離時刻情報と、前記運送物の処理内容とを含んでいることを特徴とする付記４に記載のタグ情報通知プログラム。
【０１０８】
（付記６）運送物に貼付された剥離検知タグに記憶された情報を読み取り、該読み取った情報を運送物に係る情報を管理する管理サーバに通知するリーダライタであって、
前記運送物を処分するとき以外は前記剥離検知タグを剥離させないという運用のもとで、前記剥離検知タグの剥離を検知する剥離検知手段と、
前記剥離検知手段が前記剥離検知タグの剥離を検知した場合に、前記剥離検知タグが剥離された位置を特定する剥離位置特定手段と、
前記剥離位置特定手段によって特定された位置を剥離位置情報として前記管理サーバに通知する通知手段と、
を備えたことを特徴とするリーダライタ。
【０１０９】
（付記７）前記剥離検知手段が前記剥離検知タグの剥離を検知した場合に、該剥離検知タグの剥離を検知した時刻を特定する剥離時刻特定手段をさらに備え、前記通知手段は、前記剥離時刻特定手段によって特定された時刻を剥離時刻情報として前記管理サーバにさらに通知することを特徴とする付記６に記載のリーダライタ。
【０１１０】
（付記８）前記剥離検知タグは、前記運送物に関わった業者を識別する業者識別情報および前記剥離検知タグに情報の書込みを行ったリーダライタを識別する装置識別情報を少なくとも記憶し、前記通知手段は前記剥離検知手段が前記剥離検知タグの剥離を検知した場合に、前記業者識別情報、前記装置識別情報、前記剥離位置情報および前記剥離時刻情報を前記管理サーバに通知することを特徴とする付記７に記載のリーダライタ。
【０１１１】
（付記９）前記剥離検知タグに書込む情報である書込み情報を取得した場合に、該書込み情報を暗号化する暗号化手段と、前記暗号化手段によって暗号化された書込み情報を前記剥離検知タグに書き込む書込手段とをさらに備えたことを特徴とする付記６、７または８に記載のリーダライタ。
【０１１２】
（付記１０）運送物に貼付された剥離検知タグに記憶された情報をリーダライタを利用して読み取り、該読み取った情報を運送物に係る情報を管理する管理サーバに通知するタグ情報通知方法であって、
前記運送物を処分するとき以外は前記剥離検知タグを剥離させないという運用のもとで、前記剥離検知タグの剥離を検知する剥離検知工程と、
前記剥離検知工程が前記剥離検知タグの剥離を検知した場合に、前記剥離検知タグが剥離された位置を特定する剥離位置特定工程と、
前記剥離位置特定工程によって特定された位置を剥離位置情報として前記管理サーバに通知する通知工程と、
を含んだことを特徴とするタグ情報通知方法。
【０１１３】
（付記１１）前記剥離検知工程が前記剥離検知タグの剥離を検知した場合に、該剥離検知タグの剥離を検知した時刻を特定する剥離時刻特定工程をさらに含み、前記通知工程は、前記剥離時刻特定工程によって特定された時刻を剥離時刻情報として前記管理サーバにさらに通知することを特徴とする付記１０に記載のタグ情報通知方法。
【産業上の利用可能性】
【０１１４】
以上のように、本発明にかかるタグ情報通知プログラムおよびリーダライタは、廃棄物の処理経過などの情報を正確に管理する必要のあるに廃棄物情報管理システムなどに対して有用である。
【図面の簡単な説明】
【０１１５】
【図１】本実施例に係るタグ情報管理システムのシステム構成を示すブロック図である。
【図２】図１に示した剥離検知リーダライタの構成を示す機能ブロック図である。
【図３】剥離検知タグの平面図である。
【図４】剥離検知タグの断面図である。
【図５】破断スイッチの平面図である。
【図６】破断スイッチの断面図である。
【図７】破断スイッチの変形例に係る平面図である。
【図８】剥離検知タグの構成を示す機能ブロック図である。
【図９】破断スイッチの破断情報を示す図である。
【図１０】破断スイッチの変形例に係る破断状態を示す図である。
【図１１】本実施例に係るタグ情報管理システムの処理手順を示すフローチャートである。
【図１２】剥離検知リーダライタが剥離検知タグの剥離を検知した場合の処理手順を示すフローチャートである。
【図１３】剥離検知リーダライタが、書込みデータを剥離検知タグに書き込む処理手順を示すフローチャートである。
【図１４】タグ情報通知プログラムを実行するコンピュータを示す図である。
【符号の説明】
【０１１６】
５０    ネットワーク
６０    廃棄物
７０    剥離検知タグ
８０ａ  排出事業者端末装置
８０ｂ，８０ｄ  運搬業者端末装置
８０ｃ  中間処理業者端末装置
８０ｅ  最終処分業者端末装置
９０ａ，９０ｂ，９０ｃ  リーダライタ
１００ａ，１００ｂ  剥離検知リーダライタ
１１０    アンテナ
１２０    電波インターフェース部
１３０    剥離検知処理部
１４０    位置特定処理部
１５０    時刻特定処理部
１６０    書込み・読込み処理部
１７０    インターフェース部
１８０    暗号化処理部
１９０    記憶部
１９０ａ  装置識別情報
２００    情報処理センターサーバ
【図１】
2006127288.tif 000003
【図２】
2006127288.tif 000004
【図３】
2006127288.tif 000005
【図４】
2006127288.tif 000006
【図５】
2006127288.tif 000007
【図６】
2006127288.tif 000008
【図７】
2006127288.tif 000009
【図８】
2006127288.tif 000010
【図９】
2006127288.tif 000011
【図１０】
2006127288.tif 000012
【図１１】
2006127288.tif 000013
【図１２】
2006127288.tif 000014
【図１３】
2006127288.tif 000015
【図１４】
2006127288.tif 000016